(57)【要約】【課題】フィルタの清掃作業及び交換作業の作業性を向上させることのでき、空気から塵やにおいなどの空気の汚れを効率よく収集することができるコンパクトな空気清浄機を低コストで実現する。【解決手段】ファンケーシング５を外部ケース２に対して相対回動する回動装置を備え、吸気口５Ａが一の給排気口２Ａ，２Ｂに、排気口５Ｂが他の給排気口２Ａ，２Ｂに連通される第１運転モードと、吸気口５Ａが他の給排気口２Ａ，２Ｂに、排気口５Ｂが一の給排気口２Ａ，２Ｂに連通される第２運転モードとを、択一的に実現する構成で、ファンケーシング５の吸気口５Ａと排気口５Ｂとのいずれか一方にフィルタＦを設け、第１運転モード及び第２運転モードにおいて、フィルタＦが空気を清浄化するように空気清浄機１を構成する。【選択図】図３
2008249307.tif 000002
【特許請求の範囲】
【請求項１】
内部にファンを備えたファンケーシングと、前記ファンケーシングの外周部を覆う外部ケースとを備え、前記ファンケーシングに吸気口及び排気口を形成すると共に、前記外部ケースに少なくとも２つの給排気口を形成し、前記ファンケーシングを前記外部ケースに対して相対回動する回動装置を備え、
前記吸気口が一の前記給排気口に、前記排気口が他の前記給排気口に連通される第１運転モードと、前記吸気口が前記他の給排気口に、前記排気口が前記一の給排気口に連通される第２運転モードとを、択一的に実現する構成で、
前記ファンケーシングの吸気口と排気口とのいずれか一方にフィルタを設け、前記第１運転モード及び前記第２運転モードにおいて、前記フィルタが空気を清浄化する空気清浄機。
【請求項２】
前記外部ケースに３つの給排気口を形成し、前記３つの給排気口を、室内に連通する第１及び第２室内給排気口と、室外に連通する室外給排気口とで構成してあり、
前記吸気口が前記第１室内給排気口に、前記排気口が前記第２室内給排気口に連通される内気循環モードと、前記吸気口がいずれかの前記室内給排気口に、前記排気口が前記室外給排気口に連通される排気モードと、前記吸気口が前記室外給排気口に、前記排気口がいずれかの前記室内給排気口に連通される給気モードとを、択一的に実現する請求項１に記載の空気清浄機。
【請求項３】
前記第１室内給排気口が、前記第２室内給排気口より前記ファンケーシングの回動方向において上側の位置にある請求項２に記載の空気清浄機。
【請求項４】
前記ファンを、クロスフローファンで構成してある請求項１〜３のいずれか一項に記載の空気清浄機。
【請求項５】
前記ファンケーシングの吸気口に前記フィルタを備えるとともに、前記ファンケーシングの吸気口に、前記クロスフローファンへ供給される空気の流れを整える整流手段を備え、
前記整流手段により、前記クロスフローファンに吸い込まれる空気が、前記クロスフローファンの回転軸の軸方向視で、クロスフローファンの翼体の外径側端位置における翼面接線方向に導かれる請求項４に記載の空気清浄機。
【請求項６】
前記フィルタを前記ファンケーシングに固定する固定部材を前記ファンケーシングの吸気口に備え、前記整流手段を前記固定部材で構成してある請求項５に記載の空気清浄機。
【請求項７】
前記整流手段を前記フィルタで構成してある請求項５又は６に記載の空気清浄機。
【請求項８】
前記フィルタとともに、光照射を受けて触媒作用により空気を清浄化する光触媒と、前記光触媒に光を照射する光源とを備え、
前記整流手段を、複数の前記光源又は前記光源に対する電気基板で構成してある請求項５〜７のいずれか一項に記載の空気清浄機。
【発明の詳細な説明】
【技術分野】
【０００１】
本発明は、内部にファンを備えたファンケーシングと、ファンケーシングの外周部を覆う外部ケースとを備えた空気清浄機に関する。
【背景技術】
【０００２】
従来の技術としては、例えば、特許文献１に開示されているように、室外空気吸込口（特許文献１の図２の３）から吸い込んだ室外空気を、給気路（特許文献１の図２のＡ）を介して共通吹出口（特許文献１の図１の２３）から室内へ給気するとともに、室内空気吸込口（特許文献１の図２の１０）から吸い込んだ室内空気を、排気路（特許文献１の図２のＢ）を介して室内空気吹出口（特許文献１の図２の１２）から室外へ排気し、室内空気吸込（特許文献１の図２の２０）から吸い込んだ室内空気を、循環気路（特許文献１の図２にＣ）を介して共通吹出口（特許文献１の図２の２３）から室内へ循環するように構成された空気調和機が知られている。
【０００３】
一方、特許文献２に開示されているように、送風機に装備した風路切換装置（特許文献１の図８の４０）を動作させることで、給気運転風路（特許文献２の図８のＡ）と排気運転風路（特許文献２の図８のＢ）とを切り替えて、室外から吸い込んだ室外空気を、給気運転風路を介して室内へ給気するとともに、室内から吸い込んだ室内空気を、排気運転風路を介して室外へ排気するように構成された空気調和機が知られている。
【０００４】
【特許文献１】特開平７−７１７８９号公報（図１、図２、及び段落番号「００１５」〜「００１７」参照）
【特許文献２】特開２００６−９０６２５号公報（図７〜図８、及び段落番号「００９４」参照）
【発明の開示】
【発明が解決しようとする課題】
【０００５】
特許文献１の空気調和機では、室外空気吸込口から吸い込んだ室外空気から塵を取り除く高性能フィルタ（特許文献１の図２の４）と、室内空気吸込口から吸い込んだ室内空気から塵を取り除く中性能フィルタ（特許文献１の図２の１１）と、室内空気吸込口から吸い込んだ室内空気から塵を取り除く高性能フィルタ（特許文献１の図２の２１）とが、それぞれ別々に空気調和機本体（特許文献1の図２の１）に固定されており、それぞれ別々の送風機（特許文献1の図２の５ａ，５ｂ，２２）で空気を給気、排気及び循環するように構成されている。その結果、空気調和機の部品点数が多くなって、製造コストアップの一因になるといった問題や、送風機を配設する空間や高性能フィルタ及び中性能フィルタを空気調和機本体に固定する空間を、各送風機及び各フィルタ毎に別々に設ける必要があり、空気調和機の大きさが大きくなるといった問題があった。
【０００６】
特許文献１の空気調和機では、２つの高性能フィルタと中性能フィルタとがそれぞれ空気調和機本体の内部の比較的離れた位置に配設されている。その結果、各フィルタを清掃又は交換する場合には、各フィルタをそれぞれ別々に空気調和機本体の内部から取り外して清掃又は交換する必要があり、空気清浄機の分解やフィルタの着脱に多くの時間が掛かって、フィルタのメンテナンス作業の作業性が悪いといった問題があった。
【０００７】
特許文献２の空気調和機では、風路切換装置を給気運転風路に切り替えた状態（特許文献２の図８（ａ）の状態）で、プレフィルタ（特許文献２の図８（ａ）の２４）を介して室外空気を室内に給気するように構成され、風路切換装置を排気運転流路に切り替えた状態（特許文献２の図８（ｂ）の状態）で、プレフィルタを介して室内空気を室外に排気するように構成されている。その結果、室外から室内へ室外空気を給気する場合と、室内から室外へ室内空気を排気する場合とで、室外空気及び室内空気が異なる方向でプレフィルタを通過し、例えば室外から室外空気を給気する際にプレフィルタによって取り除かれた塵が、室内から室内空気を排気する際にプレフィルタから空気中に飛散し、空気から塵を効率よく収集することができないといった問題や、空気中に飛散した塵でフィルタの周辺が汚れ、フィルタ周辺の清掃作業が多く必要になるといった問題があった。
【０００８】
また、特許文献２の空気調和機では、室外空気を給気する風路切換装置を排気運転流路に切り替えた状態では、送風機の吸込口に吸込フィルタ（特許文献１の図８の３６）及びプレフィルタが接続され、室内空気を循環する風路切換装置を循環運転流路（特許文献２の図８のＣ）に切り替えた状態では、送風機の吸込口に吸込フィルタ（特許文献２の図８の２１ｂ）が接続されている。その結果、プレフィルタ及び吸込フィルタによって送風機の吸い込み側が負圧になり易く、プレフィルタ及び吸込フィルタによる室内空気又は室外空気を吸い込む際の抵抗を少なくし、送風機の吹き出し側の風量を多く確保して、空気調和機の性能を向上させる観点から改善の余地があった。
本発明は、フィルタの清掃作業及び交換作業の作業性を向上させることのでき、空気から塵やにおいなどの空気の汚れを効率よく収集することができるコンパクトな空気清浄機を低コストで実現することを目的とする。
【課題を解決するための手段】
【０００９】
本発明の第１特徴構成は、内部にファンを備えたファンケーシングと、前記ファンケーシングの外周部を覆う外部ケースとを備え、前記ファンケーシングに吸気口及び排気口を形成すると共に、前記外部ケースに少なくとも２つの給排気口を形成し、前記ファンケーシングを前記外部ケースに対して相対回動する回動装置を備え、前記吸気口が一の前記給排気口に、前記排気口が他の前記給排気口に連通される第１運転モードと、前記吸気口が前記他の給排気口に、前記排気口が前記一の給排気口に連通される第２運転モードとを、択一的に実現する構成で、前記ファンケーシングの吸気口と排気口とのいずれか一方にフィルタを設け、前記第１運転モード及び前記第２運転モードにおいて、前記フィルタが空気を清浄化する点にある。
【００１０】
上記構成によれば、第１運転モードと第２運転モードとを切り替えることで複数の風路を択一的に形成することができ、この複数の風路において一つのファンで吸気口から排気口に空気を供給することができる。また、ファンケーシングを回動させることで、ファンケーシングの吸気口と排気口とのいずれか一方に設けたフィルタが移動し、この移動した一つのフィルタで、第１運転モードにおいて吸気口から排気口に流れる空気の塵やにおいなどの汚れと、第２運転モードにおいて吸気口から排気口に流れる空気の塵やにおいなどの汚れとを取り除くことができる。その結果、空気清浄機に設けるファンの数量及びフィルタの数量を減少させることができ、空気清浄機の部品点数を削減することができると共に、ファンを配設する空間及びフィルタを配設する空間を狭く設定することができ、空気清浄機の大きさを小さく設定できる。
【００１１】
従って、空気清浄機の製造コストを削減できると共に、コンパクトな空気清浄機を実現できる。
【００１２】
上記構成によれば、一つのフィルタをファンケーシングから着脱して一つのフィルタを清掃又は交換することで、第１運転モードで取り除いた塵やにおいなどの空気の汚れと第２運転モードで取り除いた塵やにおいなどの空気の汚れとを回収することができる。その結果、空気清浄機の分解やフィルタの着脱の時間を短縮することができ、フィルタの清掃及び交換を容易に行うことができる。
【００１３】
従って、フィルタの清掃作業及び交換作業の作業性を向上させることができ、空気清浄機のメンテナンス作業の作業性を向上できる。
【００１４】
上記構成によれば、第１運転モードを現出した場合、及び第２運転モードを現出した場合のいずれの場合においても、本願のフィルタは各風路の上流側又は下流側の一方に位置することとなり、ファンケーシングの吸気口から排気口に空気が流れ、空気がフィルタを同じ方向（フィルタ表側からフィルタ裏側もしくはフィルタ裏側からフィルタ表側のいずれか一方）で通過する。その結果、例えば空気が異なる方向でフィルタを通過するように空気清浄機を構成した場合のように、フィルタで取り除かれた塵やにおいなどの空気の汚れが再び空気中に飛散することを防止できる。
【００１５】
従って、空気から塵やにおいなどの空気の汚れを効率よく取り除くことができるとともに、フィルタの周辺が汚れ難くなって、フィルタ周辺の清掃作業が容易になる。
【００１６】
本発明の第２特徴構成は、前記外部ケースに３つの給排気口を形成し、前記３つの給排気口を、室内に連通する第１及び第２室内給排気口と、室外に連通する室外給排気口とで構成してあり、前記吸気口が前記第１室内給排気口に、前記排気口が前記第２室内給排気口に連通される内気循環モードと、前記吸気口がいずれかの前記室内給排気口に、前記排気口が前記室外給排気口に連通される排気モードと、前記吸気口が前記室外給排気口に、前記排気口がいずれかの前記室内給排気口に連通される給気モードとを、択一的に実現する点にある。ここで、「室外」とは、屋外を意味する他、隣接する室、居室外の廊下等をも含む。
【００１７】
上記構成により、内気循環モードと、排気モードと、給気モードとを切り替えることで３つの風路を択一的に形成することができ、この３つの風路において一つのファンで吸気口から排気口に空気を供給することができる。また、ファンケーシングを回動させることで、ファンケーシングの吸気口と排気口とのいずれか一方に設けたフィルタが移動し、この移動した一つのフィルタで、内気循環モード、排気モード及び給気モードの３つのモード全てにおいて吸気口から排気口に流れる空気の塵やにおいなどの汚れを取り除くことができる。その結果、３つのモードを実現できるものでありながら、空気清浄機に設けるファンの数量及びフィルタの数量を更に減少させることができ、空気清浄機の部品点数を更に削減することができると共に、ファンを配設する空間及びフィルタを配設する空間を更に狭く設定することができ、空気清浄機の大きさを更に小さく設定できる。
【００１８】
従って、空気清浄機の製造コストを更に削減できると共に、更にコンパクトな空気清浄機を実現できる。
【００１９】
上記構成によれば、一つのフィルタをファンケーシングから着脱して一つのフィルタを清掃又は交換することで、内気循環モード、排気モード及び給気モードの３つのモードで取り除いた塵やにおいなどの空気の汚れを回収することができる。その結果、空気清浄機の分解やフィルタの着脱の時間を更に短縮することができ、フィルタの清掃及び交換を更に容易に行うことができる。
【００２０】
従って、フィルタの清掃作業及び交換作業の作業性を更に向上させることができ、空気清浄機のメンテナンス作業の作業性を更に向上できる。
【００２１】
本発明の第３特徴構成は、前記第１室内給排気口が、前記第２室内給排気口より前記ファンケーシングの回動方向において上側の位置にある点にある。
【００２２】
上記構成により、ファンケーシングを回動させて、ファンケーシングの吸気口と排気口とのいずれか一方に設けたフィルタを第１室内給排気口に移動させることで、フィルタの塵などの空気の汚れが付着した面が上方を向いた状態を現出することができ、このフィルタの塵などの空気の汚れが付着した面が上方を向いた状態でファンケーシングからフィルタを取り外すことができる。その結果、フィルタを着脱する際に、フィルタに付着した塵などの空気の汚れが室内に落ち難くなる。
【００２３】
従って、フィルタの清掃作業や交換作業に伴って、フィルタに付着した塵などの空気の汚れが室内に落ちて室内が汚れることを防止することができ、空気清浄機のメンテナンス作業の作業性を更に向上できる。
【００２４】
本発明の第４特徴構成は、前記ファンを、クロスフローファンで構成してある点にある。
【００２５】
上記構成により、例えばファンをシロッコファンで構成する場合に比べ、ファンケーシングの吸気口及び排気口を広く確保することができ、通過面積の広いフィルタをファンケーシングの吸気口と排気口とのいずれか一方に備えることができる。その結果、大きな風量を確保し風速を低く抑えながら、通過面積の広いフィルタで多く空気から多くの塵やにおいなどの空気の汚れを取り除くことができる。
【００２６】
従って、空気から塵やにおいなどの空気の汚れを更に効率よく取り除くことができ、空気清浄機の性能を更に向上させることができる。
【００２７】
本発明の第５特徴構成は、前記ファンケーシングの吸気口に前記フィルタを備えるとともに、前記ファンケーシングの吸気口に、前記クロスフローファンへ供給される空気の流れを整える整流手段を備え、前記整流手段により、前記クロスフローファンに吸い込まれる空気が、前記クロスフローファンの回転軸の軸方向視で、クロスフローファンの翼体の外径側端位置における翼面接線方向に導かれる点にある。ここで、「翼面接線方向に導かれる」とは、厳密に翼面接線方向に向けられることを意味する他、ある程度の許容角を有して翼面接線方向に向けられること（実質的に翼面接線方向に向けられること）をも含む。
【００２８】
上記構成により、ファンケーシングの吸気口から吸い込んだ空気が、整流手段により翼面接線方向に案内されてクロスフローファンに吸い込まれ、クロスフローファンの吸込側が負圧になり難くなって、クロスフローファンが空気を吸い込み易くなる。その結果、ファンケーシングの吸気口にフィルタを設けることによるクロスフローファンの吸込側の圧力損失を低く抑制することができ、クロスフローファンの風量を多くすることができる。
【００２９】
従って、多くの空気から塵やにおいなどの空気の汚れを取り除くことができ、空気清浄機の性能を更に向上させることができる。
【００３０】
本発明の第６特徴構成は、前記フィルタを前記ファンケーシングに固定する固定部材を前記ファンケーシングの吸気口に備え、前記整流手段を前記固定部材で構成してある点にある。
【００３１】
上記構成により、フィルタを固定する固定部材を整流手段として兼用することができ、空気清浄機の部品点数を削減することができる。また、フィルタを固定する固定部材を整流手段として兼用することで、例えば固定部材とは別の整流手段を設けた場合に比べフィルタを収容する空間を広く確保でき、通過面積の広いフィルタを装着することができる。
【００３２】
従って、空気清浄機の製造コストを削減できると共に、通過面積の広いフィルタで空気から塵やにおいなどの空気の汚れを更に効率よく取り除くことができ、空気清浄機の性能を更に向上させることができる。
【００３３】
本発明の第７特徴構成は、前記整流手段を前記フィルタで構成してある点にある。
【００３４】
上記構成により、フィルタを整流手段として兼用することができ、空気清浄機の部品点数を削減することができる。また、フィルタを整流手段として兼用することで、例えばフィルタとは別の整流手段を設けた場合に比べフィルタを備える空間を広く確保でき、通過面積の広いフィルタを装着することができる。
【００３５】
従って、空気清浄機の製造コストを削減できると共に、通過面積の広いフィルタで空気から塵やにおいなどの空気の汚れを更に効率よく取り除くことができ、空気清浄機の性能を更に向上させることができる。
【００３６】
本発明の第８特徴構成は、前記フィルタとともに、光照射を受けて触媒作用により空気を清浄化する光触媒と、前記光触媒に光を照射する光源とを備え、前記整流手段を、複数の前記光源又は前記光源に対する電気基板で構成してある点にある。
【００３７】
上記構成により、光源から光触媒に光を照射することにより空気を清浄化することができるとともに、光源又はその電気基板を整流手段として兼用することができ、空気清浄機の部品点数を削減することができる。
【００３８】
従って、空気清浄機の性能を更に向上させることができると共に、空気清浄機の製造コストを削減できる。
【発明を実施するための最良の形態】
【００３９】
〔空気清浄機の全体構成〕
以下、本発明に係る空気清浄機１について図面に基づいて説明する。図１は、空気清浄機１の全体斜視図であり、図２は、空気清浄機１の左右方向の縦断面図である。なお、以下の説明において、図１における空気清浄機１の開閉カバー３側及び空気清浄機の後部ダクトＤ側をそれぞれ前方及び後方と表示し、図１における開閉カバー３を正面から見た左方及び右方をそれぞれ左方及び右方と表示する。
【００４０】
図１及び図２に示すように、空気清浄機１は、外部ケース２と、開閉カバー３と、後述する空気清浄機１の操作を行うリモコン３０（図９参照）とを備えて構成されている。外部ケース２は、樹脂製で箱形に成形され、左右の側板２１，２１と、上面板２２と、下面板２３と、背面板２４（図３参照）とを備えて構成されており、この外部ケース２の内部に後述するファン４、ファンケーシング５等が収容されている。
【００４１】
外部ケース２の前面側の右側下部には、操作パネル２５が前向きに装備されており、この操作パネル２５又はリモコン３０の操作で、空気清浄機１の運転モードの切り替え及び開閉カバー３の開閉等を行うことができる。
【００４２】
開閉カバー３は、樹脂製で、外部ケース２の前部に形成された開口２Ａ（図３参照）を前方から覆うことができるように、左右に長い横長の形状に形成され、縦断面形状が前方に突出した湾曲した形状に形成されている。開閉カバー３には、全面に亘って左右に長い複数の吸排気溝３ｂが形成されおり、この複数の吸排気溝３ｂから室内の室内空気を吸い込むことができ、室外からの室外空気及びフィルタＦによって清浄化した室内空気を吹き出すことができる。
【００４３】
外部ケース２及び開閉カバー３の内部には、ファン４、ファンケーシング５、電動モータ１１、回転モータ１３、制御装置１８等が収容されている。ファン４から左右に回転軸４３，４３が延出されており、左側の回転軸４３が外部ケース２の左側の側板２１に回動自在に支持され、右側の回転軸４３が外部ケース２の右側の側板２１に電動モータ１１を介して回動可能に支持されている。
【００４４】
ファンケーシング５の左右の回転板５１，５１から左右の筒状部材５６，５６が延出されており、この筒状部材５６，５６がファン４の左右の回転軸４３，４３に相対回転自在に外嵌されている。右側の筒状部材５６には、駆動ギア１２が固着されており、外部ケース２の右側の側板２１に固定された回転モータ１３の出力軸に固定された出力ギア１４に駆動ギア１２が咬合されている。
【００４５】
駆動ギア１２の下部には、駆動ギア１２の回転位置を検出する回転位置検出センサ１５が装備されており、この回転位置検出センサ１５からの検出結果に基づいて、ファンケーシング５の回転位置を検出できるように構成されている。このように、駆動ギア１２、回転モータ１３、出力ギア１４等によって、ファンケーシング５を回動可能な回動装置が構成されている。
【００４６】
以上のように、ファン４及びファンケーシング５を外部ケース２に支持することにより、電動モータ１１を回転駆動すると、ファン４を回転させることができ、回転モータ１３を回転駆動すると、出力ギア１４、駆動ギア１２及び筒状部材５６を介してファンケーシング５を外部ケース２に対して相対回動させることができる。
【００４７】
開閉カバー３から内方側に左右の支軸３ａ，３ａが延出されており、この支軸３ａ，３ａが外部ケース２の左右の側板２１，２１に回動自在に内嵌され、開閉カバー３が外部ケース２の上部の左右方向の軸心周りに揺動開閉自在に支持されている。開閉カバー３の右側の支軸３ａには、開閉モータ１６が連動連結されており、この開閉モータ１６を操作することにより開閉カバー３を上下に揺動開閉でき、図３の実線で示す閉状態と、図３の２点鎖線で示す開状態との間で姿勢変更できる（図３参照）。
【００４８】
開閉カバー３の左側の支軸３ａには、開閉センサ１７が装着されており、この開閉センサ１７によって支軸３ａの回転位置を検出し、開閉カバー３の開閉位置を検出できるように構成されている。
【００４９】
〔外部ケース、ファン及びファンケーシングの詳細構造〕
図３及び図４に基づいて、ファン４、ファンケーシング５の詳細構造について説明する。図３は、ファンケーシング５が内気循環姿勢での空気清浄機１の縦断側面図であり、図４は、ファンケーシング５が内気循環姿勢（図４（イ））、給気姿勢（図４（ロ））及び排気姿勢（図４（ハ））での空気清浄機１の概略縦断側面図である。
【００５０】
図３に示すように、空気清浄機１は、室内と室外とを仕切る壁部Ｗに埋め込み装着されており、開閉カバー３を装着した部分以外の部分の多くが壁部Ｗに埋め込まれて、壁部Ｗの内壁Ｗ１から室内側に空気清浄機１が突出する部分が小さくなるように配設されている。壁部Ｗの外壁Ｗ２の外面側には、下向きの外気口Ｄ１が形成された外部ダクトＤが装着されており、この外部ダクトＤの外気口Ｄ１から室外空気を吸い込むことができ、室内空気を排気することができる。
【００５１】
外部ケース２の前部には前方に開放した開口２Ａが形成されており、この開口２Ａの上部及び下部がそれぞれ給排気口（第１室内給排気口及び第２室内給排気口に相当）として機能するように構成されている。
【００５２】
外部ケース２の内部には、上部案内部２６及び下部案内部２７が一体成形されており、この上部案内部２６及び下部案内部２７によってファンケーシング５と後部ダクトＤを連通する給排気口２Ｂ（室外給排気口に相当）が形成されている。
【００５３】
上部案内部２６には、上方へ凹入する凹入部２６ａが形成されており、この凹入部２６ａは、壁部Ｗの外壁Ｗ２の外面側に装備された後部ダクトＤの下向きの外気口Ｄ１に向って、滑らかに湾曲した形状に成形されている。下部案内部２７の前部２７ａは、ファンケーシング５の回転軌跡に沿った湾曲した形状に成形されており、下部案内部２７の後部２７ｂは、外壁Ｗ２の外面側に装備された後部ダクトＤの下向きの外気口Ｄ１に向う直線形状に成形されている。
【００５４】
このように、上部案内部２６及び下部案内部２７を外部ケース２に一体成形することにより、ファンケーシング５の排気姿勢で室内から吸い込んだ室内空気を上部案内部２６及び下部案内部２７によって後部ダクトＤの外気口Ｄ１に向って無理なく排気することができ、ファンケーシング５の給気姿勢で室外空気を後部ダクトＤの外気口Ｄ１から無理なく吸気することができる。
【００５５】
図２及び図３から判明するように、ファン４は、左右の側板４１，４１と、左右の側板４１，４１に亘って設けられた複数の翼体４２と、左右の回転軸４３，４３とを備えて構成されており、空気を周方向から吸い込んで、周方向に吹き出す外径が円柱状の左右に長いクロスフローファンに構成されている。ファン４の左右の側板４１，４１は円板状に形成されており、この左右の側板４１，４１に亘って複数の翼体４２が固定されている。翼体４２は、側面視で周方向に等ピッチ（約１５度）で配設されており、図３の黒矢印で示すファン４の回転方向とは逆方向に凹入した湾曲した形状に成形されている。
【００５６】
ファンケーシング５は、円板状の左右の回転板５１，５１と、左右の回転板５１，５１に亘って設けられた第１案内板５２及び第２案内板５３とを備えて構成されており、左右の回転板５１並びに第１及び第２案内板５２，５３によって、その中心部にファン４を収容する円柱状の空間が形成されている。
【００５７】
第１案内板５２は、第１直線部５２ａと、第１直線部５２ａの内方側の端部から折り曲げ成形された湾曲部５２ｂと、湾曲部５２ｂの他端部から折り曲げ成形された第２直線部５２ｃとによって構成されている。湾曲部５２ｂは、ファン４の回転軌跡に沿った湾曲した形状に成形され、ファン４の回転軌跡から所定の間隔を開けて配設されている。
【００５８】
第２案内板５３は、第１直線部５３ａと、第１直線部５３ａの内方側の端部から折り曲げ成形された湾曲部５３ｂと、湾曲部５３ｂの他端部から延出された第２直線部５３ｃとを備えて構成されている。湾曲部５３ｂは、第１直線部５３ａの内方側の端部から遠ざかるに従ってファン４の回転軌跡との隙間が末広がり状に広くなるように湾曲した形状に成形されている。
【００５９】
第２案内板５３の第１及び第２直線部５３ａ，５３ｃは、第１案内板５２の第１及び第２直線部５２ａ，５２ｃとの協働でそれぞれ吸気口５Ａ及び排気口５Ｂとして機能する。第２案内板５３の第１直線部５３ａと第１案内板５２の第１直線部５２ａとによって形成された側面視での形状が扇形の吸気口５Ａには、後述する固定部材６が固定され、この固定部材６にＵＶ光源１０及びフィルタＦ（脱臭フィルタ７、集塵フィルタ８、プレフィルタ９）が外方側から装着されて、ファンケーシング５と一体回動するように構成されている。
【００６０】
ファンケーシング５によって、内部にファン４を収容する円柱状の空間と、この円柱状の空間の外周部に位置する円筒状の空間とを形成し、側面視での形状が扇形の吸気口５Ａをこの円筒状の空間に形成することにより、フィルタＦを配設する空間を広く確保でき、無理なくフィルタＦを配設できると共に、通過面積を広く確保した集塵フィルタ８を配設できる。また、円筒状の空間にファンケーシング５の排気口５Ｂを形成することにより、排気口５Ｂを外方に空気を導く導風板として機能させることができ、効率よくファン４からの空気を排気できる。
【００６１】
図４に示すように、後述するモード切替制御によって、ファンケーシング５は、図４（イ）の内気循環姿勢と、図４（ロ）の給気姿勢と、図４（ハ）の排気姿勢とに姿勢変更可能に構成されている。
【００６２】
図４（イ）に示すように、ファンケーシング５の内気循環姿勢では、ファンケーシング５の吸気口５Ａが開閉カバー３の上部側に向き、ファンケーシング５の排気口５Ｂが下方に向いて、ファンケーシング５の第２案内板５３によって後部ダクトＤに連通する給排気口２Ｂが塞がれた姿勢を現出し、ファンケーシング５に内気循環風路Ａが形成される。このように内気循環姿勢を現出してファン４を回転させることにより、ファンケーシング５の前部上部に位置する吸気口５Ａから吸い込んだ室内空気を、フィルタＦの径方向での外側の面によって清浄化してファンケーシング５の下部に位置する排気口５Ｂから室内に循環させることができる。
【００６３】
図４（ロ）に示すように、ファンケーシング５の給気姿勢では、ファンケーシング５の吸気口５Ａが給排気口２Ｂ側に向き、ファンケーシング５の排気口５Ｂが開閉カバー３側に向いた姿勢を現出し、ファンケーシング５に給気風路Ｂが形成される。このように給気姿勢を現出してファン４を回転させることにより、ファンケーシング５の後部上部に位置する吸気口５Ａから後部ダクトＤ及び給排気口２Ｂを介して吸い込んだ室外空気を、フィルタＦの径方向での外側の面によって清浄化してファンケーシング５の前部に位置する排気口５Ｂから室内に給気できる。
【００６４】
図４（ハ）に示すように、ファンケーシング５の排気姿勢では、ファンケーシング５の吸気口５Ａが開閉カバー３の下部側に向き、ファンケーシング５の排気口５Ｂが給排気口２Ｂ側に向いた姿勢を現出し、ファンケーシング５に排気風路Ｃが形成される。このように排気姿勢を現出してファン４を回転させることにより、ファンケーシング５の前部下部に位置する吸気口５Ａから吸い込んだ室内空気を、フィルタＦの径方向での外側の面によって清浄化してファンケーシング５の後部に位置する排気口５Ｂから給排気口２Ｂ及び後部ダクトＤを介して室外に排気できる。
【００６５】
〔フィルタの構造及び取付構造〕
図５及び図６に基づいて、フィルタＦの構造及び取付構造について説明する。図５は、フィルタＦの構造及び取付構造を説明するための右側斜め前方上方から見た斜視図である。図６は、フィルタＦの構造及び取付構造を説明するための縦断側面図である。なお、図５においては、フィルタＦ等を部品毎に上下に離して表示する。
【００６６】
図５及び図６に示すように、この空気清浄機１のフィルタＦは、脱臭フィルタ７と、集塵フィルタ８と、プレフィルタ９とを備えて構成されており、ＵＶ光源１０（光源に相当）と共にファンケーシング５に装着されている。
【００６７】
ファンケーシング５の第１案内板５２の第１直線部５２ａと第２案内板５３の第１直線部５３ａとによって形成された吸気口５Ａに、固定部材６が固定されており、この固定部材６に内方側から順に、ＵＶ光源１０、脱臭フィルタ７、集塵フィルタ８及びプレフィルタ９が外方側から装着されて、ファンケーシング５と一体回動するように構成されている。
【００６８】
固定部材６は、左右に長い帯板状の固定板６１と、前後に長い帯板状の支持板６２と、互いに隣接する支持板６２どうしの間に位置する整流板６３（整流手段に相当）とを一体成形して構成されており、固定板６１，６１を、ファンケーシング５の第１案内板５２の第１直線部５２ａ及び第２案内板５３の第１直線部５３ａに着脱可能に取り付けることで、固定部材６をファンケーシング５に固定できる。支持板６２は、縦断面形状がファン４の回転軌跡に沿って丸く湾曲させた扇形に成形されており、この湾曲成形された支持板６２が前後の固定板６１，６１に亘って等ピッチで一体成形されている。
【００６９】
互いに隣接する支持板６２，６２どうしの間には、複数の整流板６３が一体成形されている。側面視での整流板６３の断面形状は、直線状に成形されており、ファン４の回転軸心Ｐ１に対して周方向に等ピッチで配設されている。
【００７０】
整流板６３の取付角度は、湾曲成形したファン４の翼体４２の外方端部から延出した直線Ｌ２と略平行になるように設定されており、ファン４の回転軸心Ｐ１と整流板６３の中心部とを結ぶ直線Ｌ１と、整流板６３から延出された直線Ｌ２とによって形成される角度が予め設定された所定角度αになるように設定されている。
【００７１】
固定部材６の支持板６２には、内方側に凹入した複数の取付溝６２ａが形成されており、この取付溝６２ａに左右に長いＵＶ光源１０を外方側から嵌め込み装着できるように構成されており、この取付溝６２ａにＵＶ光源１０を嵌め込み装着した状態で、ＵＶ光源１０の取付角度が上述した整流板６３と同様にファン４の翼体４２の外方端部から延出した直線と略平行になるように設定されている。その結果、ＵＶ光源１０を整流手段として兼用できると共に、ＵＶ光源１０の取付構造の簡素化を図れる。なお、ＵＶ光源１０の電気基板（図示せず）を整流板６３に設けてもよく、ＵＶ光源１０の電気基板を整流板６３と同様な配置構成で固定部材６に設けてもよい。
【００７２】
なお、この空気清浄機１においては、ファン４の翼体４２及びＵＶ光源１０の固定部材６への取付ピッチ（１５度）と、整流板６３の取付ピッチ（１５度）とを同じ角度に設定しているが、異なる角度に設定してもよい。
【００７３】
ＵＶ光源１０は、左右に長い帯板状に構成されており、左右方向の複数箇所に紫外線を照射する紫外線ランプが埋め込まれている。ＵＶ光源１０の紫外線ランプは、集塵フィルタ８及び脱臭フィルタ７に向って紫外線を広角に照射できるように固定部材６に嵌め込み装着されており、集塵フィルタ８に蓄積した粉塵に混入する細菌をＵＶ光源１０から照射される紫外線によって殺傷できる。さらに、光照射を受けて触媒作用により空気を清浄する光触媒が脱臭フィルタ７に混入されており、この光触媒により有機物分解を行って脱臭・殺菌等の効果を得られる。ＵＶ光源１０は、後述する制御装置１８に接続されており、ファンケーシング５の右側の回転板５１に沿って制御装置１８に配線されている。
【００７４】
脱臭フィルタ７は、樹脂製の枠状フレーム７１に、四角形の貫通孔が形成されて網目状に成形された活性炭フィルタ７２を装着して構成されており、活性炭の消臭効果によって脱臭フィルタ７を通過する室内空気及び室外空気の脱臭を行うことができる。なお、図示しないが、活性炭フィルタ７２をハニカム形状に構成することで、活性炭フィルタ７２の表面積を広く確保でき、効率よく消臭できる。
【００７５】
集塵フィルタ８は、樹脂製の枠状フレーム８１に、蛇腹状に折り畳んだ形状に成形されたフィルタ布８２を固定することによって構成されている。フィルタ布８２は、不織布と樹脂とを一体成形して構成されており、集塵フィルタ８を通過する室内空気及び室外空気の清浄化を行うことができる。
【００７６】
プレフィルタ９には、樹脂製の枠フレーム９１に、比較的目の粗いフィルタ材９２を一体成形することによって構成されており、プレフィルタ９を通過する比較的大きさの大きい塵を取り除くことができる。プレフィルタ９の枠フレーム９１には、左右の突片９３及び左右の係合片９４が一体成形されており、固定部材６にＵＶ光源１０を外方側から嵌め込み装着し、外方側から順に、脱臭フィルタ７及び集塵フィルタ８を装着して、プレフィルタ９の係合片９４を第２案内板５３の係合穴５５に係合し、プレフィルタ９を少し弾性変形させてプレフィルタ９の突片９３を第１案内板５２の取付穴５４に嵌め込み装着することで、ファンケーシング５に、ＵＶ光源１０、脱臭フィルタ７及び集塵フィルタ８を一体回動可能に装着できる。
【００７７】
〔制御装置のブロック図等〕
図７〜図９に基づいて、制御装置１８のブロック図、操作パネル２５及びリモコン３０の操作部について説明する。図７は、空気清浄機１の制御装置１８のブロック図であり、図８及び図９は、操作パネル２５及びリモコン３０の正面図である。
【００７８】
図７に示すように、この空気清浄機１の制御装置１８には、リモコン３０から発信された信号を受信するリモコン受信機３１と、空気清浄機１側で開閉カバー３の開閉操作等を行う操作パネル２５と、開閉カバー３の開閉状態を検知する開閉センサ１７と、駆動ギア１２の回転位置を検出する回転位置検出センサ１５とが接続されている。
【００７９】
制御装置１８には、開閉カバー３の開閉を行う開閉モータ１６と、ファン４を回転駆動する電動モータ１１に接続されたインバータ３２と、ＵＶ光源１０と、ファンケーシング５を回転駆動する回転モータ１３に接続されたモータ駆動回路３３とが接続されており、リモコン受信機３１、操作パネル２５、開閉センサ１７及び回転位置検出センサ１５からの入力に基づいて、制御装置１８からインバータ３２に出力することによりファン４の回転数を変更しながら回転させることができ、制御装置１８からモータ駆動回路３３に出力することによりファンケーシング５の正逆転及び停止を行うことができる。
【００８０】
図８に示すように、操作パネル２５は、運転モード表示部Ｓ１と、空気汚れ及び風量設定表示部Ｓ２と、フィルタ交換表示部Ｓ３と、情報表示部Ｓ４と、開閉スイッチＳＷ１と、を備えて構成されている。操作パネル２５の運転モード表示部Ｓ１には、後述する運転モード（内気循環・給気・排気）が表示されており、空気清浄機１の運転モードにおけるＬＥＤランプを点灯させる。
【００８１】
操作パネル２５の空気汚れ及び風量設定表示部Ｓ２には、リモコン３０の操作によって設定された風量（微弱・弱・中・強）が４段階で表示されており、空気清浄機１の設定風量のＬＥＤランプを点灯させる。なお、自動運転にリモコン３０を操作している場合には、「自動」のＬＥＤランプが点灯するとともに、図示しない空気汚れ量検出センサからの検出結果に基づいて自動的に風量の設定を行い、自動的に設定された風量のＬＥＤランプを点灯させる。
【００８２】
操作パネル２５のフィルタ交換表示部Ｓ３には、プレフィルタ９、集塵フィルタ８及び脱臭フィルタ７の清掃時期又は交換時期が表示されており、後述するフィルタ交換判定制御で、プレフィルタ９、集塵フィルタ８及び脱臭フィルタ７が清掃時期又は交換時期に達するとＬＥＤランプを点灯させる。ＬＥＤランプの側部には、リセットボタンＢ１が装備されており、清掃後又は交換後にリセットボタンＢ１を押すことで、清掃時期又は交換時期のタイマカウントをリセットできる。
【００８３】
操作パネル２５のカバー開閉スイッチＳＷ１は、後述するカバー自動開閉制御を行う場合に操作入力するものであり、このカバー開閉スイッチＳＷ１を押し操作することで、カバー自動開閉制御が実施される。情報表示部Ｓ４は、カバー自動開閉制御において開情報及び閉情報（文字情報）を表示するものであり、情報表示部Ｓ４によって文字情報を点滅させながら表示することで、カバー自動開閉制御が実施されていることを視覚的に伝達する。
【００８４】
このように、開閉スイッチＳＷ１を空気清浄機１本体側に設けた外部ケース２に装備することにより、例えばリモコン３０に開閉スイッチを装備した場合のように（図示せず）、誤って開閉スイッチＳＷ１が操作されることが少なくなって、開閉スイッチＳＷ１の誤操作を防止できる。
【００８５】
図９に示すように、リモコン３０は、リモコン本体３０ａが縦長の長方形状に形成され、上部に情報表示部Ｓ５を備え、情報表示部Ｓ５の下部に上方から順に、電源スイッチＳＷ２、モード切替スイッチＳＷ３及び風量調節スイッチＳＷ４を備えて構成されている。
【００８６】
電源スイッチＳＷ２を押して電源を入れると、情報表示部Ｓ５に運転モードや風量の設定が表示され、モード切換スイッチＳＷ３及び風量調節スイッチＳＷ４の操作が可能になる。電源スイッチＳＷ２を押して電源を入れた状態で、モード切換スイッチＳＷ３を押すと、情報表示部Ｓ５に表示された内気循環モード、給気モード及び排気モードが順に選択され、風量調節スイッチＳＷ４を押すと、情報表示部Ｓ５に表示された微弱、弱、中、強及び自動が順に選択される。
【００８７】
〔運転モード〕
図１０に基づいて、この空気清浄機１で切り替え可能な運転モードについて説明する。図１０は、この空気清浄機１で切り替え可能な運転モード毎の風量設定及びファンケーシング５の姿勢を説明するための表である。
【００８８】
図１０に示すように、この空気清浄機１では、内気循環モード、給気モード、排気モード及び待機モードの４つの運転モードが設定されている。内気循環モードでは、風量はリモコン３０の操作により変更調節可能で、ファンケーシング５の姿勢は、上述した内気循環姿勢に姿勢変更するように構成されている。
【００８９】
給気モードでは、風量はリモコン３０の操作により変更調節可能で、ファンケーシング５の姿勢は、上述した給気姿勢に姿勢変更するように構成されている。また、排気モードでは、風量はリモコン３０の操作により変更調節可能で、ファンケーシング５の姿勢は、上述した排気姿勢に姿勢変更するように構成されている。
【００９０】
リモコン３０のモード切替スイッチＳＷ３を操作して、運転モードを切り替えると、後述するモード切替制御が実施され、ファンケーシング５が自動的に移動しファンケーシング５の姿勢が、操作前の姿勢からモード切替スイッチＳＷ３により設定した姿勢に切り替えられる。なお、リモコン３０の風量調節スイッチＳＷ４を自動に操作すると、自動的に風量設定が変更され、変更された風量のＬＥＤランプが点灯する。
【００９１】
待機モードでは、風量は変更調節不能で、風量ゼロに設定されており、ファンケーシング５の姿勢は、上述した内気循環姿勢に姿勢変更するように構成されており、この待機モードでフィルタＦの清掃及び交換が可能になる。リモコン３０の操作による待機モードへの操作は行うことができず、後述するカバー自動開閉制御及びカバー手動開閉制御においてモード切替制御に移行した場合に、待機モードに自動的に切り替えられるように構成されている。
【００９２】
なお、リモコン３０のモード切替スイッチＳＷ３を操作すると待機モードに切り替えられるように構成し、リモコン３０の操作によってフィルタＦの清掃及び交換を可能にするように構成してもよい。
【００９３】
〔フィルタ交換判定制御〕
図１１に基づいて、この空気清浄機１で実施されているフィルタ交換判定制御について説明する。図１１は、フィルタ交換判定制御のフローチャートである。
【００９４】
図１１に示すように、制御装置１８から予め記憶された運転時間タイマ値を読み出し（ステップ＃１１）、運転時間タイマ値が予め設定された設定時間以上か否か判断される（ステップ＃１２）。
【００９５】
運転時間タイマ値が設定時間以上と判断されると（ステップ＃１２：ＹＥＳ）、制御装置１８から出力して、操作パネル２５のフィルタ交換表示部Ｓ３のＬＥＤランプを点灯させ、フィルタ交換表示を行う（ステップ＃１３）。一方、運転時間タイマ値が設定時間以上でないと判断されると（ステップ＃１２：ＮＯ）、運転時間タイマ値をタイマカウントアップし、制御装置１８にカウントアップされた運転時間タイマ値を記憶する（ステップ＃１４）。
【００９６】
フィルタ交換表示が行われてフィルタＦを交換し、又は、フィルタ交換表示が行われていない状態で自発的にフィルタＦを交換して、操作パネル２５のリセットボタンＢ１を押すと（ステップ＃１５：ＹＥＳ）、運転時間タイマ値を初期値にリセットし、制御装置１８に初期化されたリセット値を記憶する（ステップ＃１６）。
【００９７】
なお、プレフィルタ９、集塵フィルタ８及び脱臭フィルタ７にそれぞれ個別に設定時間が設定され、フィルタ交換判定制御が実施されている。従って、プレフィルタ９の清掃時期、集塵フィルタ８及び脱臭フィルタ７の交換時期について個別にフィルタ交換判定が実施され、プレフィルタ９が清掃時期に達するとＬＥＤランプを点灯し、集塵フィルタ８又は脱臭フィルタ７が交換時期に達するとＬＥＤランプを点灯する。このように、プレフィルタ９、集塵フィルタ８及び脱臭フィルタ７についてそれぞれ個別にフィルタ交換判定制御を実施することにより、フィルタＦの清掃時期及び交換時期を的確に判断することができ、空気清浄機１の性能の低下を防止できる。
【００９８】
〔カバー開閉制御〕
図１２及び図１３に基づいて、この空気清浄機１で実施されているカバー開閉制御について説明する。なお、図１２は、開閉スイッチＳＷ１を操作して自動で開閉カバー３を開閉する場合のカバー自動開閉制御のフローチャートであり、図１３は、開閉カバー３を手で操作して手動で開閉カバー３を開閉する場合のカバー手動開閉制御のフローチャートである。
【００９９】
図１２に示すように、制御装置１８に入力されたデータを読み込み（ステップ＃２１）、操作パネル２５の開閉スイッチＳＷ１が操作されたか否か判断する(ステップ＃２２)。操作パネル２５の開閉スイッチＳＷ１が操作された場合には（ステップ＃２２：ＹＥＳ）、開閉センサ１７からの検出結果に基づいて、開閉カバー３が閉状態か否か判断される（ステップ＃２３）。
【０１００】
開閉カバー３が閉状態にある場合（開閉カバー３を閉じた状態から開閉スイッチＳＷ１を操作して開閉カバーを開ける場合）には（ステップ＃２３：ＹＥＳ）、カバー開情報（例えば「カバー開きます」の文字情報）の操作パネル２５の情報表示部Ｓ４への表示を開始する（ステップ＃２４）。なお、カバー閉情報の情報表示部Ｓ４への表示と共に、ブザー音やカバー閉情報の音声を鳴らすブザーやスピーカ（図示せず）を備えることにより、聴覚的な情報を提供できる。
【０１０１】
次に、運転モードを待機モードに自動設定し（ステップ＃２５）、モード切替入力を自動的に行って（ステップ＃２６）、後述する第２モード切替制御が自動的に実施され、ファン４が停止し、ファンケーシング５が内気循環姿勢に姿勢変更される。
【０１０２】
運転モードが待機モードに切り替えられると、制御装置１８から開閉モータ１６に出力して開閉カバー３を上方に揺動させて開き（ステップ＃２７）、開閉センサ１７からの検出結果に基づいて、開閉カバー３が開状態に開いたと判断されると、制御装置１８からの開閉モータ１６への出力を遮断して、カバー開情報の操作パネル２５の情報表示部Ｓ４への表示を終了する（ステップ＃２８）。
【０１０３】
操作パネル２５の開閉スイッチＳＷ１が操作され、開閉カバー３が閉状態にない場合には（ステップ＃２３：ＮＯ）、開閉センサ１７からの検出結果に基づいて、開閉カバー３が開状態か否か判断される（ステップ＃２９）。開閉カバー３が開状態にある場合（開閉カバー３を開いた状態から開閉スイッチＳＷ１を操作して開閉カバーを閉める場合）には（ステップ＃２９：ＹＥＳ）、カバー閉情報（例えば「カバー閉じます」の文字情報）の操作パネル２５の情報表示部Ｓ４への表示を開始する（ステップ＃３０）。
【０１０４】
次に、制御装置１８から開閉モータ１６に出力して開閉カバー３を下方に揺動させて閉じ（ステップ＃３１）、開閉センサ１７からの検出結果に基づいて、開閉カバー３が閉状態に閉じたと判断されると、制御装置１８からの開閉モータ１６への出力を遮断して、カバー閉情報の操作パネル２５の情報表示部Ｓ４への表示を終了する（ステップ＃３２）。なお、開閉カバー３が閉状態及び開状態のいずれの状態でもない場合には（ステップ＃２９：ＮＯ）、開閉スイッチＳＷ１を操作してもカバー自動開閉制御は実施されない。
【０１０５】
なお、図示しないが、開閉スイッチＳＷ１を操作すると開閉モータ１６が正回転し、再度開閉スイッチＳＷ１を操作すると開閉モータ１６が逆回転するように制御装置１８から出力して、開閉カバー３が開状態又は閉状態にない場合でも、開閉スイッチＳＷ１の操作で開閉カバー３を開閉できるように構成してもよい。
【０１０６】
図１３に示すように、制御装置１８に入力されたデータを読み込み（ステップ＃４１）、操作パネル２５の開閉スイッチＳＷ１が操作されたか否か判断する(ステップ＃４２)。操作パネル２５の開閉スイッチＳＷ１が操作されていない場合には（ステップ＃４２：ＹＥＳ）、開閉センサ１７からの検出結果に基づいて、開閉カバー３が手動で開閉操作されたか否か判断される（ステップ＃４３）。
【０１０７】
なお、開閉センサ１７によって開閉カバー３の開状態及び閉状態に加え、閉状態と開状態の間の中間状態でも開閉センサ１７によって手動で開閉操作されたか否か検出できるように構成されており、上述したカバー自動開閉制御以外の操作で開閉カバー３が開閉操作されると、開閉カバー３が手動で開閉操作されたと判断されるように構成されている。
【０１０８】
開閉カバー３が手動で開閉操作された場合には（ステップ＃４３：ＹＥＳ）、運転モードを待機モードに自動設定し（ステップ＃４４）、モード切替入力を自動的に行って（ステップ＃４５）、後述する第２モード切替制御が自動的に実施され、ファン４が停止し、ファンケーシング５が内気循環姿勢に姿勢変更される。
【０１０９】
〔モード切替制御〕
図１４〜図１６に基づいて、この空気清浄機１で実施されているモード切替制御について説明する。なお、図１４は、モード切替制御のフローチャートであり、図１５及び図１６は、第１モード切替制御又は第２モード切替制御に移行した場合のフローチャートである。
【０１１０】
図１４に示すように、制御装置１８に入力されたデータを読み込み（ステップ＃５１）、リモコン３０のモード切替スイッチＳＷ３が手動で操作されたか否か判断される（ステップ＃５２）。モード切替スイッチＳＷ３が手動で操作された場合には（ステップ＃５２：ＹＥＳ）、後述する第１モード切替制御に移行する（ステップ＃５３）。
【０１１１】
モード切替スイッチＳＷ３が手動で操作されていない場合には（ステップ＃５２：ＮＯ）、上述したパネル開閉制御によるモード切替入力がされたか否か判断される（ステップ＃５４）。モード切替入力がされた場合には（ステップ＃５４：ＹＥＳ）、後述する第２モード切替制御に移行する（ステップ＃５５）。
【０１１２】
図１５に示すように、第１モード切替制御に移行すると、リモコン３０が内気循環モードに操作されたか否か判断される（ステップ＃６１）。リモコン３０が内気循環モードに操作された場合には（ステップ＃６１：ＹＥＳ）、制御装置１８から回転モータ１３に出力してファンケーシング５を内気循環姿勢に向って回転させる（ステップ＃６２）。
【０１１３】
次に、回転位置検出センサ１５の検出結果に基づいて、ファンケーシング５が内気循環姿勢に姿勢変更されたか否か判断され（ステップ＃６３）、ファンケーシング５が内気循環姿勢に姿勢変更された場合には（ステップ＃６３：ＹＥＳ）、制御装置１８から回転モータ１３への出力を遮断して、回転モータ１３を停止させる（ステップ＃６９）。
【０１１４】
リモコン３０が給気モードに操作された場合には（ステップ＃６１：ＮＯ，ステップ＃６４：ＹＥＳ）、制御装置１８から回転モータ１３に出力してファンケーシング５を給気姿勢に向って回転させる（ステップ＃６５）。そして、回転位置検出センサ１５の検出結果に基づいて、ファンケーシング５が給気姿勢に姿勢変更されたか否か判断され（ステップ＃６６）、ファンケーシング５が給気姿勢に姿勢変更された場合には（ステップ＃６６：ＹＥＳ）、制御装置１８から回転モータ１３への出力を遮断して、回転モータ１３を停止させる（ステップ＃６９）。
【０１１５】
リモコン３０が排気モードに操作された場合には（ステップ＃６１：ＮＯ，ステップ＃６４：ＮＯ）、制御装置１８から回転モータ１３に出力してファンケーシング５を排気姿勢に向って回転させる（ステップ＃６７）。そして、回転位置検出センサ１５の検出結果に基づいて、ファンケーシング５が排気姿勢に姿勢変更されたか否か判断され（ステップ＃６８）、ファンケーシング５が給気姿勢に姿勢変更された場合には（ステップ＃６８：ＹＥＳ）、制御装置１８から回転モータ１３への出力を遮断して、回転モータ１３を停止させる（ステップ＃６９）。
【０１１６】
図示しないが、制御装置１８からの回転モータ１３への出力を遮断すると、自動的にブレーキ装置（図示せず）が作動し、一定の制動力を付与しながら回転モータ１３を迅速に停止できるように構成されている。また、回転モータ１３を停止させた状態で、例えば手でファンケーシング５を回転させることができる程度の制動力に、ブレーキ装置の制動力が低く設定されており、例えばファンケーシング５と、吸気口５Ａ又は排気口５Ｂとの間に障害物等が挟まってファンケーシング５が破損することを防止できる。
【０１１７】
なお、ステップ＃６２，ステップ＃６５及びステップ＃６７において、内気循環姿勢、給気姿勢及び排気姿勢の間でファンケーシング５を姿勢変更する場合に、姿勢変更する前の姿勢からの姿勢変更する距離が短い方向に、回転モータ１３が駆動されるように制御装置１８からモータ駆動回路３３に出力される。
【０１１８】
具体的には、例えば給気姿勢から内気循環姿勢に姿勢変更する場合には、図３における反時計回りにファンケーシング５を逆回転駆動させ、例えば排気姿勢から内気循環姿勢に姿勢変更する場合には、図３における時計回りにファンケーシング５を正回転駆動させる。その結果、変更する姿勢に迅速にファンケーシング５を移動させることができ、迅速に姿勢変更することができる。
【０１１９】
図１６に示すように、第２モード切替制御に移行すると、制御装置１８からインバータ３２への出力状況に基づいて、電動モータ１１に電力が供給されファン４が回転しているか否か判断される（ステップ＃７１）。ファン４が回転している場合には（ステップ＃７１：ＹＥＳ）、制御装置１８からインバータ３２に出力して電動モータ１１の回転駆動を停止し、ファン４の回転を停止させる（ステップ＃７２）。
【０１２０】
次に、回転位置検出センサ１５からの検出結果に基づいて、ファンケーシング５が内気循環姿勢に姿勢変更されているか否か判断され（ステップ＃７３）、内気循環姿勢に姿勢変更されていないと判断される場合には（ステップ＃７３：ＮＯ）、回転位置検出センサ１５からの検出結果に基づいて、ファンケーシング５が給気姿勢に姿勢変更されているか否か判断される（ステップ＃７４）。
【０１２１】
ファンケーシング５が給気姿勢に姿勢変更されている場合には、制御装置１８からモータ駆動回路３３に出力して、回転モータ１３を逆回転駆動（図３における反時計回りに回転駆動）させる（ステップ＃７５）。
【０１２２】
ファンケーシング５が排気姿勢に姿勢変更されている場合や、内気循環姿勢、給気姿勢及び排気姿勢以外の中間姿勢に姿勢変更されている場合には（ステップ＃７４：ＮＯ）、制御装置１８からモータ駆動回路３３に出力して、回転モータ１３を正回転駆動（図３における時計回りに回転駆動）させる（ステップ＃７６）。このように、姿勢変更する前の姿勢からの姿勢変更する距離が短い方向に、回転モータ１３が駆動されるように制御装置１８からモータ駆動回路３３に出力することで、変更する姿勢に迅速にファンケーシング５を移動させることができ、迅速に姿勢変更することができる。
【０１２３】
回転モータ１３を正回転又は逆回転駆動し（ステップ＃７５，７６）、回転位置検出センサ１５の検出結果に基づいて、ファンケーシング５が内気循環姿勢に姿勢変更されたか否か判断され（ステップ＃７８）、ファンケーシング５が内気循環姿勢に姿勢変更された場合には（ステップ＃７８：ＹＥＳ）、制御装置１８から回転モータ１３への出力を遮断して、回転モータ１３を停止させて（ステップ＃７９）、第２モード切替制御を終了する。
【０１２４】
なお、第２モード切替制御に以降した状態で、既にファンケーシング５の姿勢が姿勢変更されている場合には、ファンケーシング５は姿勢変更されずに、第２モード切替制御を終了する（ステップ＃７３：ＹＥＳ）。
【０１２５】
以上のように、フィルタＦを設けた吸気口５Ａが開閉カバー３の上部に向いて停止するように第２モード切替制御を実施することにより、例えば高層ビルの上層階の壁部Ｗに空気清浄機１を設置した場合のように、室外からのフィルタＦの着脱が困難な状況においても、室内から容易にフィルタＦを清掃及び交換することができる。
【０１２６】
［別実施形態］
（１）
上記の実施形態においては、吸気口５Ａに固定した固定部材６に複数の整流板６３を一体成形し、固定部材６で整流手段を構成した例を示したが、図１７及び図１８に示すように、脱臭フィルタ７又は集塵フィルタ８で整流手段を構成してもよい。以下、図１７及び図１８に基づいて説明する。図１７は、脱臭フィルタ７で整流手段を構成した場合の縦断側面図であり、図１８は、集塵フィルタ８で整流手段を構成した場合の縦断側面図である。なお、図１７及び図１８に示す以外の事項については、上記の実施形態と同様である。
【０１２７】
図１７に示すように、側面視での脱臭フィルタ７の活性炭フィルタ７２の形状が、湾曲成形したファン４の翼体４２の先端部を延出した直線Ｌ２に平行に近い形状になるように活性炭７２の開口部の形状が成形されている。このように脱臭フィルタ７を構成することにより、給気口５Ａから吸い込んだ室内空気又は室外空気が、脱臭フィルタ７の開口部に案内され、角度変更されてからファン４に供給される。
【０１２８】
図１８に示すように、側面視での集塵フィルタ８のフィルタ布８２の面の形状が、湾曲成形したファン４の翼体４２の先端部を延出した直線Ｌ２に平行に近い形状になるように成形されている。このように集塵フィルタ８を構成することにより、給気口５Ａから吸い込んだ室内空気又は室外空気が、集塵フィルタ８のフィルタ布８２に案内され、角度変更されてからファン４に供給される。なお、図１８に示すように、脱臭フィルタ７を設けないで空気清浄機１を構成してもよく、このように構成することにより、集塵フィルタ８の通過面積を広く確保でき、集塵機能を向上させることができる。
【０１２９】
集塵フィルタ７のフィルタ布７２及び脱臭フィルタ７の活性炭フィルタ７２は成形が比較的容易であるため、例えばファン４の仕様（翼体４２の形状等）が異なる場合において、容易に形状を変更することができ、設計変更等が容易にできる点で有利である。
【０１３０】
なお、図１７及び図１８においては、固定部材６に整流板６２を設けずに、脱臭フィルタ７又は集塵フィルタ８によって、室内空気及び室外空気をファン４に案内するように構成した例を示したが、固定部材６、脱臭フィルタ７及び集塵フィルタ８のすべてを、室内空気又は室外空気をファン４に案内する形状等に構成してもよく、２以上の組み合わせを採用してもよい。このように構成することにより、更に効率よくファン４へ空気を案内できる。
【０１３１】
（２）
上記の実施形態においては、空気清浄機１のファン４としてクロスフローファンを採用した例を示したが、図１９〜図２２に示すように、空気清浄機１のファン４にシロッコファン１０４を採用してもよい。なお、図１９〜図２２に示す以外の事項については、上記の実施形態と同様である。
【０１３２】
図１９〜図２２に基づいて、この別実施形態における空気清浄機１について説明する。図１９及び図２０は、内気循環姿勢での空気清浄機１の縦断側面図及び縦断正面図であり、図２１（イ）及び（ロ）は、給気姿勢及び排気姿勢での空気清浄機１の概略縦断側面図である。図２２は、ファンケーシング１０５の連通口１０５Ｅの近くに脱臭フィルタ１０７及び集塵フィルタ１０８を配設した場合の空気清浄機１の縦断側面図である。
【０１３３】
図１９及び図２０に示すように、ファンケーシング１０５は、シロッコファン１０４を覆う第１ケーシング１０５Ａと、この第１ケーシング１０５Ａに固定された第２ケーシング１０５Ｂとを備えて構成されている。第１ケーシング１０５Ａの外周部には、排気口１０５Ｄが形成されており、第１ケーシング１０５Ａの左側には電動モータ１１１が固定されて第１ケーシング１０５Ａの内部に収容したシロッコファン１０４と連動連結されている。
【０１３４】
第２ケーシング１０５Ｂの外周部には吸気口１０５Ｃが形成されており、第２ケーシング１０５Ｂの左側部には、シロッコファン１０４の吸込口に連通する連通口１０５Ｅが形成されている。第１及び第２ケーシング１０５Ａ，１０５Ｂは、外部ケース１０２に左右方向の軸心周りで回動可能に支持されており、回転モータ（図示せず）を駆動させることにより、外部ケース１０２に対して第１ケーシング１０５Ａ、第２ケーシング１０５Ｂ及び電動モータ１１１が一体で相対回動するように構成されている。
【０１３５】
フィルタＦは、脱臭フィルタ１０７と、集塵フィルタ１０８と、プレフィルタ１０９とを備えて構成されており、ファンケーシング１０５の吸気口１０５Ｃに装着されている。第２ケーシング１０５Ｂの吸気口１０５Ｃには、固定部材１０６が固定されており、この固定部材１０６に脱臭フィルタ１０７及び集塵フィルタ１０８が外方側から装着され、プレフィルタ１０９によって固定されている。
【０１３６】
側面視での脱臭フィルタ１０７及び集塵フィルタ１０８の断面形状は、シロッコファン１０４によって吸い込む空気の流れ方向に沿った形状に設定されており、第２ケーシング１０５Ｂの吸気口１０５Ｃに集塵フィルタ１０８等を装着することによる吸い込み不良を防止できるように構成されている。
【０１３７】
外部ケース１０２の前部の上部及び下部には、前方に開放した給排気口１０２Ａ，１０２Ａが形成されており、上部の開口１０２Ａに複数の吸排気溝の形成された開閉カバー１０３が上下揺動自在に装着されている。外部ケース１０２の後部の上部及び下部には、上部案内部１０２Ｂ及び下部案内部１０２Ｃが一体成形され、この上部案内部１０２Ｂ及び下部案内部１０２Ｃによって後部ダクトＤの外気口Ｄ１に連通する給排気口１０２Ｄが形成されており、後部ダクトＤから吸い込んだ室外空気をシロッコファン１０４へ効率よく案内でき、シロッコファン１０４から吹き出した室内空気を、効率よく後部ダクトＤの外気口Ｄ１に案内できるように構成されている。
【０１３８】
図１９に示すように、ファンケーシング１０５の吸気口１０５Ｃが開閉カバー１０３の上側の開口１０２Ａ側に向き、ファンケーシング１０５の排気口１０５Ｄが下方に向いた内気循環姿勢を現出し、ファンケーシング１０５に内気循環流路Ａが形成される。内気循環姿勢を現出してシロッコファン１０４を回転させることにより、ファンケーシング１０５の前部上部に位置する吸気口１０５Ｃから吸い込んだ室内空気を、フィルタＦによって清浄化してファンケーシング１０５の下部に位置する排気口１０５Ｄから室内に循環することができる。
【０１３９】
図２１（イ）に示すように、ファンケーシング１０５の吸気口１０５Ｃが後部ダクトＤ側に向き、ファンケーシング１０５の排気口１０５Ｄが開閉カバー１０３の上側の開口１０２Ａ側に向いた給気姿勢を現出し、ファンケーシング１０５に給気流路Ｂが形成される。給気姿勢を現出してシロッコファン１０４を回転させることにより、ファンケーシング１０５の後部に位置する吸気口１０５Ｃから後部ダクトＤを介して吸い込んだ室外空気を、フィルタＦによって清浄化してファンケーシング１０５の前部上部に位置する排気口１０５Ｄから室内に給気できる。
【０１４０】
図２１（ロ）に示すように、ファンケーシング１０５の吸気口１０５Ｃが開閉カバー１０３の下側の開口１０２Ａ側に向き、ファンケーシング１０５の排気口１０５Ｄが後部ダクトＤ側に向いた姿勢を現出し、ファンケーシング１０５に排気流路Ｃが形成される。排気姿勢を現出してシロッコファン１０４を回転させることにより、ファンケーシング１０５の前部下部に位置する吸気口１０５Ｃから吸い込んだ室内空気を、フィルタＦによって清浄化してファンケーシング１０５の後部上部に位置する排気口１０５Ｄから後部ダクトＤを介して室外に排出できる。
【０１４１】
図２２に示すように、脱臭フィルタ１０７及び集塵フィルタ１０８を吸気口１０５Ｃではなく、第２ケーシング１０５Ｂの連通口１０５Ｅの近くに配設し、シロッコファン１０４による空気の吸い込み方向に沿った方向に空気を案内するように、脱臭フィルタ１０７及び集塵フィルタ１０８の形状を成形して、吸気口１０５Ｃから吸い込んだ空気を脱臭フィルタ１０７及び集塵フィルタ１０８によって整流してシロッコファン１０４に供給するように構成してもよい。
【０１４２】
（３）
上記の実施形態においては、内気循環姿勢でファンケーシング５（１０５）の前部上部から前部下部に内気循環風路Ａが形成されるように、空気清浄機１を構成した例を示したが、ファンケーシング５の吸気口５Ａ及び排気口５Ｂの位置として異なる位置を採用してもよく、例えば図２３に示すように、空気清浄機１を構成してもよい。なお、図２３は、空気清浄機１の縦断側面図であり、後述する以外の他の構成は、上記の実施形態と同様である。
【０１４３】
図２３に示すように、ファン４の回転方向が図２３における側面視で、反時計回りに設定されており、ファンケーシング５の内気循環姿勢では、ファンケーシング５の吸気口５Ａが開閉カバー３の下部側に向き、ファンケーシング５の排気口５Ｂが開閉カバー３の上部側に向いて、ファンケーシング５の第２案内板５３によって後部ダクトＤに連通する給排気口２Ｂが塞がれた姿勢を現出し、ファンケーシング５に内気循環風路が形成される。
【０１４４】
ファンケーシング５の給気姿勢では、ファンケーシング５の吸気口５Ａが給排気口２Ｂ側に向き、ファンケーシング５の排気口５Ｂが開閉カバー３の下部側に向いた姿勢を現出し、ファンケーシング５に給気風路が形成される。また、ファンケーシング５の排気姿勢では、ファンケーシング５の吸気口５Ａが開閉カバー３の上部側に向き、ファンケーシング５の排気口５Ｂが給排気口２Ｂ側に向いた姿勢を現出し、ファンケーシング５に排気風路が形成される。
【０１４５】
このように、ファン４及びファンケーシング５を構成した場合には、ファンケーシング５を排気姿勢に姿勢変更して、フィルタＦを清掃及び交換するように構成することで、フィルタＦが上方に向いた状態で、フィルタＦを清掃及び交換することができる。
【０１４６】
（４）
上記の実施形態においては、外部ケース２に２つの給排気口として機能する開口２Ａ、及び給排気口２Ｂを形成した例を示したが、外部ケース２に形成する給排気口の数は異なるものであってもよく、例えば図２４〜図２６のように構成してもよい。なお、図２４〜図２６は、空気清浄機１の縦断側面図であり、後述する以外の他の構成は、上記の実施形態と同様である。
【０１４７】
図２４に示すように、外部ケース２の上部及び下部に上方及び下方の室内に連通する給排気口２Ａ，２Ｂを備え、図２４（イ）に示す上方から下方へ室内空気を循環させる第１内気循環姿勢と、図２４（ロ）に示す下方から上方へ室内空気を循環させる第２内気循環姿勢とに姿勢変更可能に空気清浄機１を構成してもよい。
【０１４８】
図２５に示すように、外部ケース２の上部、前部及び下部に上方、前方及び下方の室内に連通する給排気口２Ａ，２Ｂ，２Ｃを備え、図２５（イ）に示す上方から前方へ室内空気を循環させる第１内気循環姿勢と、図２５（ロ）に示す前方から下方へ室内空気を循環させる第２内気循環姿勢とに姿勢変更可能に空気清浄機１を構成してもよい。
【０１４９】
図２６に示すように、外部ケース２の前部及び後部に前方の室内及び後方の室外に連通する給排気口２Ａ，２Ｂを備え、図２６（イ）に示す室内から室外へ室内空気を排気する排気姿勢と、図２６（ロ）に示す室外から室内へ室外空気を給気する給気姿勢とに姿勢変更可能に空気清浄機１を構成してもよい。
【０１５０】
（５）
上記の実施形態においては、フィルタＦを、脱臭フィルタ７（１０７）と、集塵フィルタ８（１０８）と、プレフィルタ９（１０９）とを備えて構成した例を示したが、フィルタＦを、いずれか一つのフィルタによって構成してもよく、２つの組み合わせによって構成してもよい。また、フィルタＦに異なる種類のフィルタ（図示せず）を採用した場合においても同様に適用できる。
【０１５１】
上記の実施形態においては、固定部材６、脱臭フィルタ７、又は集塵フィルタ８で整流手段を構成した例を示したが、固定部材６、脱臭フィルタ７及び集塵フィルタ８とは別の整流手段をファンケーシング５の吸気口５Ａに設ける構成を採用してもよい。
【０１５２】
上記の実施形態においては、カバー開閉制御及びモード切替制御によってファンケーシング５（１０５）の内気循環姿勢又は排気姿勢でフィルタＦを設けた吸気口５Ａ（１０５Ｃ）が開閉カバー３（１０３）の上部に向いて自動的に停止するように構成した例を示したが、簡易には、例えばファンケーシング５を回動する回転モータ１３を手でファンケーシング５を回動可能な状態に操作し、開閉カバー３を開いた状態で、手動でファンケーシング５を回動させてフィルタＦを設けた吸気口５Ａ（１０５Ｃ）を開閉カバー３（１０３）の上部に回動させて、ファンケーシング５（１０５）の姿勢を保持可能なロック具（図示せず）を手動でロックし、フィルタＦを着脱するように構成してもよい。このように構成することで、制御装置１８等の構成を簡素化することができ、低コストでメンテナンス性のよい空気清浄機１を実現できる。
【０１５３】
（６）
上記の実施形態においては、空気清浄機１を室内と室外とを仕切る壁部Ｗに埋め込み装着した例を示したが、室内と室外とを仕切る壁部Ｗに埋め込み装着する空気清浄機１に限らず、例えば、床面に据え置く空気清浄機（図示せず）、壁部Ｗに立て掛ける空気清浄機（図示せず）、天井に埋め込み装着する空気清浄機（図示せず）においても同様に適用できる。
【図面の簡単な説明】
【０１５４】
【図１】空気清浄機の全体斜視図
【図２】空気清浄機の縦断正面図
【図３】空気清浄機の縦断側面図
【図４】空気清浄機の概略縦断側面図
【図５】フィルタの構造を示す斜視図
【図６】フィルタ取付部の縦断側面図
【図７】制御装置のブロック図
【図８】操作パネルの正面図
【図９】リモコンの正面図
【図１０】運転モードを説明するための説明図
【図１１】フィルタ交換判定制御のフローチャート
【図１２】カバー自動開閉制御のフローチャート
【図１３】カバー手動開閉制御のフローチャート
【図１４】モード切替制御のフローチャート
【図１５】第１モード切替制御のフローチャート
【図１６】第２モード切替制御のフローチャート
【図１７】別実施形態でのフィルタ取付部の縦断側面図
【図１８】別実施形態でのフィルタ取付部の縦断側面図
【図１９】別実施形態での空気清浄機の縦断側面図
【図２０】別実施形態での空気清浄機の縦断正面図
【図２１】別実施形態での空気清浄機の縦断側面図
【図２２】別実施形態での空気清浄機の縦断正面図
【図２３】別実施形態での空気清浄機の概略縦断側面図
【図２４】別実施形態での空気清浄機の概略縦断側面図
【図２５】別実施形態での空気清浄機の概略縦断側面図
【図２６】別実施形態での空気清浄機の概略縦断側面図
【符号の説明】
【０１５５】
１        空気清浄機
２        外部ケース
２Ａ      開口（給排気口，第１及び第２室内給排気口）
２Ｂ      給排気口（室外給排気口）
４        ファン（クロスフローファン）
５        ファンケーシング
５Ａ      吸気口
５Ｂ      排気口
６        固定部材
７        脱臭フィルタ（フィルタ）
８        集塵フィルタ（フィルタ）
９        プレフィルタ（フィルタ）
１０      ＵＶ光源（光源）
４２      翼体
４３      回転軸
６３      整流板（整流手段）
Ｆ        フィルタ
【図１】
2008249307.tif 000003
【図２】
2008249307.tif 000004
【図３】
2008249307.tif 000005
【図４】
2008249307.tif 000006
【図５】
2008249307.tif 000007
【図６】
2008249307.tif 000008
【図７】
2008249307.tif 000009
【図８】
2008249307.tif 000010
【図９】
2008249307.tif 000011
【図１０】
2008249307.tif 000012
【図１１】
2008249307.tif 000013
【図１２】
2008249307.tif 000014
【図１３】
2008249307.tif 000015
【図１４】
2008249307.tif 000016
【図１５】
2008249307.tif 000017
【図１６】
2008249307.tif 000018
【図１７】
2008249307.tif 000019
【図１８】
2008249307.tif 000020
【図１９】
2008249307.tif 000021
【図２０】
2008249307.tif 000022
【図２１】
2008249307.tif 000023
【図２２】
2008249307.tif 000024
【図２３】
2008249307.tif 000025
【図２４】
2008249307.tif 000026
【図２５】
2008249307.tif 000027
【図２６】
2008249307.tif 000028